(57)【要約】【課題】 光回折パターンの真偽を判別する証明用媒体を提供する。【解決手段】 証明用媒体１０は、所有者の証明情報を表示するとともに表面凹凸模様で表現される光回折パターンが形成されたものである。証明用媒体１０は、証明情報を表示する証明情報表示層２１と、白色光により再生可能な第１の画像、及び目視不能かつ所定の単色光でのみ再生可能な画像であって光回折パターン第２の画像が形成された光回折パターン形成層３０とを備える。【選択図】図１
2005138595.tif 000002
【特許請求の範囲】
【請求項１】
所有者の証明情報を表示するとともに、表面凹凸模様で表現される光回折パターンが形成された証明用媒体であって、
前記証明情報を表示する証明情報表示層と、
白色光により再生可能な第１の画像が形成された光回折パターンと、前記光回折パターンに重ねて形成され、所定の単色光でのみ再生可能な画像であって前記光回折パターンの第２の画像とが形成された光回折パターン形成層と
を備えることを特徴とする証明用媒体。
【請求項２】
所有者の証明情報を表示するとともに、表面凹凸模様で表現される光回折パターンが形成された証明用媒体であって、
前記証明情報を表示する証明情報表示層と、
白色光により再生可能な第１の画像が第１の領域に形成されるとともに、所定の単色光でのみ再生可能な画像であって前記光回折パターンの第２の画像が第２の領域に形成された光回折パターン形成層と
を備えることを特徴とする証明用媒体。
【請求項３】
請求項２に記載の証明用媒体において、
前記光回折パターン形成層は、１つの領域内に、前記第１の画像と前記第２の画像とをそれぞれ多数に領域分けして配置したこと
を特徴とする証明用媒体。
【請求項４】
請求項３に記載の証明用媒体において、
前記光回折パターン形成層は、前記第１及び／又は第２の画像の多数に領域分けした一部に本情報を記録しておき、他部にはこの本情報と再生像が重なるような攪乱情報を記録しておくこと
を特徴とする証明用媒体。
【請求項５】
請求項１から請求項４までのいずれか１項に記載の証明用媒体において、
前記第１の画像は、目視によりこの証明用媒体の真偽が判別される目視判別情報であり、
前記第２の画像は、目視不能な情報であること
を特徴とする証明用媒体。
【発明の詳細な説明】
【技術分野】
【０００１】
この発明は、ホログラム，回折格子等の光回折パターンが形成されたキャッシュカード，クレジットカード等の証明用媒体に関するものである。
【背景技術】
【０００２】
光回折パターン記録体の１つであるホログラムは、ホログラフィー技術により光の波動情報を記録した記録体であり、立体的な３次元画像を再生することができる。従来より、光回折パターンには、ホログラムや回折格子等があり、物体光と参照光とによる干渉縞を撮影する方法等により形成されている。光回折パターンには、参照光と同一のレーザ光等の単色光を照射することにより画像が再生されるレーザ光再生型と、可視領域において目視可能であり白色光により再生可能な白色光再生型とが知られている。さらに、光回折パターンの形態としては、１つの表面凹凸パターンを記録した面の上に、さらに重ねて別の表面凹凸パターンを記録した、いわゆる多重露光型のものが知られている（特許文献）。
【０００３】
光回折パターンの一つであるホログラムは、一般にはその製造が困難であることから、偽造防止効果が高いというメリットを有する。従って、例えばキャッシュカードやクレジットカード等にホログラムを形成することにより、カード自体のセキュリティ性を高めるものとして広く利用されている。
【０００４】
また、キャッシュカード等にレーザ光再生型のホログラムを記録した場合に、そのホログラムにレーザ光を照射して得られる再生像をスクリーンに結像させる確認方法が知られている（特許文献２）。
【０００５】
しかし、前述の従来のホログラムでは、ホログラムを転写するための転写箔を専用のプリンターに装填して使用したり、ユーザーがその転写箔を加工する場合があった。このため、転写箔を不正に入手して使用する等、ホログラムが偽造されているという問題があった。
【特許文献１】特開昭５９−１５４４８２号公報
【特許文献２】特開昭５８−９２５９６号公報
【発明の開示】
【発明が解決しようとする課題】
【０００６】
本発明は、上述のような課題を解消するためになされたものであって、光回折パターンの真偽を判別することができるようにすることを目的とする。
【課題を解決するための手段】
【０００７】
上述の目的を達成するために、請求項１の発明は、所有者の証明情報を表示するとともに、表面凹凸模様で表現される光回折パターンが形成された証明用媒体であって、
前記証明情報を表示する証明情報表示層と、白色光により再生可能な第１の画像が形成された光回折パターンと、前記光回折パターンに重ねて形成され、所定の単色光でのみ再生可能な画像であって前記光回折パターンの第２の画像とが形成された光回折パターン形成層とを備えることを特徴とする証明用媒体である。
請求項２の発明は、所有者の証明情報を表示するとともに、表面凹凸模様で表現される光回折パターンが形成された証明用媒体であって、前記証明情報を表示する証明情報表示層と、白色光により再生可能な第１の画像が第１の領域に形成されるとともに、所定の単色光でのみ再生可能な画像であって前記光回折パターンの第２の画像が第２の領域に形成された光回折パターン形成層とを備えることを特徴とする証明用媒体である。
請求項３の発明は、請求項２に記載の証明用媒体において、前記光回折パターン形成層は、１つの領域内に、前記第１の画像と前記第２の画像とをそれぞれ多数に領域分けして配置したことを特徴とする証明用媒体である。
請求項４の発明は、請求項３に記載の証明用媒体において、前記光回折パターン形成層は、前記第１及び／又は第２の画像の多数に領域分けした一部に本情報を記録しておき、他部にはこの本情報と再生像が重なるような攪乱情報を記録しておくことを特徴とする証明用媒体である。
請求項５の発明は、請求項１から請求項４までのいずれか１項に記載の証明用媒体において、前記第１の画像は、目視によりこの証明用媒体の真偽が判別される目視判別情報であり、前記第２の画像は、目視不能な情報であることを特徴とする証明用媒体である。
【発明の効果】
【０００８】
本発明によれば、単色光再生光回折パターンと白色光再生光回折パターンとを、それぞれ多重記録，領域分けして記録したので、一部の情報に隠蔽性をもたせるとともに、証明用媒体の使用時に、この情報を読み取ることにより、証明用媒体の真偽を判別することができる。
【発明を実施するための最良の形態】
【０００９】
以下、図面等を参照して、本発明の一実施例について説明する。
【実施例】
【００１０】
図１は、本発明による証明用媒体の一実施例の構成を示す断面図である。
この実施例の証明用媒体１０は、媒体部２０と、媒体部２０上に形成された光回折パターン形成層３０とから構成されている。媒体部２０としては、例えばキャッシュカード，クレジットカード，通帳，パスポート，運転免許証があげられる。この基体２０上には、証明情報表示層２１が形成されている。証明情報表示層２１は、証明用媒体１０の所有者の証明情報（個別情報を含む）を表示した層である。証明情報としては、その所有者の顔写真，サイン，住所，氏名，登録番号等があげられる。また、証明情報表示層２１の形成方法としては、昇華転写，直筆，プリンタによる印字，写真の埋設，エンボス文字等があげられる。
光回折パターン形成層３０は、２又は３次元画像を再生可能な表面凹凸パターン（光回折パターン）が形成されたものであるが、表面凹凸パターン以外に、振幅型や体積型のものも使用できる。この表面凹凸パターンとしては、物体光と参照光との光の干渉による干渉縞の光の強度分布が凹凸模様で記録されたレリーフホログラムやレリーフ回折格子があげられる。特に、この実施例での光回折パターン形成層３０は、レーザ光再生ホログラム（フレネルホログラム、フラウンホーファホログラム、レンズレスフーリエ変換ホログラム、イメージホログラム等）と、白色光再生ホログラム（レインボーホログラム、回折格子等）とが多重記録されたものである。なお、この他に、ホログラム原理を利用したカラーホログラム、コンピュータホログラム、ホログラムディスプレイ、マルチプレックスホログラム、ホログラフィックステレオグラムや、ホログラム記録手段を利用したホログラフィック回折格子、電子線描画装置等を用いて機械的に回折格子を作製することにより、計算に基づいて任意の回折光が得られるホログラムや回折格子等を用いることもできる。
【００１１】
図１において、光回折パターン形成層３０は、媒体部２０上に設けられており、レリーフ層３１と、反射層３２と、接着剤層３３とから構成されている。レリーフ層３１は、光回折パターンの微小凹凸形状を付与可能な合成樹脂から形成されている。合成樹脂としては、例えばポリ塩化ビニルやアクリルのような熱可塑性合成樹脂や、不飽和ポリエステルやメラミンのような熱硬化性合成樹脂、あるいはこれらの混合物があげられる。以上の構成からなるレリーフ層３１は、グラビアコート法等のコーティング方法やオフセット印刷法等により、厚みが０．１〜１００μｍ程度に塗布形成される。実施例では、レリーフ層３１の材料として、メラミンとアクリルとの混合物、又はアクリル樹脂を用いた。この合成樹脂は、熱プレスより光回折パターンの微小凹凸形状をエンボスすることができ、エンボス後には硬化して充分な耐久性を生じるので好ましい。そして、この合成樹脂を、３μｍの厚みに形成した。
【００１２】
反射層３２は、光回折パターンの画像に反射性を与えるためのものである。反射層３２としては、反射透明性を有するものと、不透明性を有するものとがあげられる。この実施例において、証明情報表示層２１上に光回折パターン形成層３０を設ける場合には、証明情報表示層２１の画像を目視可能とするために、反射層３２が反射透明性を有することが必要である。反射透明性を有する反射層３２の材料としては、レリーフ層３１とは屈折率の異なる物質の連続薄膜や金属薄膜等があげられる。連続薄膜の膜厚は、通常は１００〜１００００オングストロームである。連続薄膜をレリーフ層３１のレリーフ形成面に形成する方法としては、真空蒸着法，スパッタリング法，イオンブレーティング法等の薄膜形成方法があげられる。実施例では、ＴｉＯx を４００オングストロームの厚みに形成した。また、不透明を有する反射層３２の材料としては、Ａｌ，Ｃｒ等が用いられ、スパッタリングやイオンブレーティング、あるいはめっきによって形成することができ、その厚みは２００〜１０００オングストロームであることが好ましい。この不透明な反射層３２が設けられると、光回折パターンの画像は、不透明となり銀色を呈する。
【００１３】
接着剤層３３は、光回折パターン形成層３０を、媒体部２０に貼付するためのものである。接着剤層３３を構成する材料としては、アクリル樹脂やその共重合体，スチレンブタジエン共重合体，天然ゴム，カゼイン，フェノール系樹脂，スチレン系樹脂等を用いることができる。さらには、例えばポリエチレンやポリ酢酸ビニルのような加熱により接着性が付与される感熱接着剤を用いることもできる。この接着剤層３３は、シルク印刷で塗布すること等により設けられ、数〜数１０μｍ程度の厚みに形成される。実施例では、アクリルの混合樹脂を３μｍの厚みに形成した。
【００１４】
次に、光回折パターンの製造方法について説明する。 図２は、光回折パターンの製造方法の一実施例を説明するための図である。先ず、図中（ａ）に示すように、感光材料４１に対して、被写体４２にレーザ光４３を照射して得られる物体光４４と、参照光（レーザ光）４５とをあてて、マスターホログラム（４１Ａ）を作製する。次に図中（ｂ）に示すように、このマスターホログラム４１Ａに横方向のスリット４６をかけ、これに参照光４５に共役な参照光４７を照射して、ホログラム乾板４８に被写体像を再生し、これに参照光４９を照射してホログラムを記録する。次に図中（ｃ）に示すように、証明用媒体の流通情報を記録したマスク５０と、散乱板５１とを近接配置し、照明光５２を散乱板５１を介してマスク５０にあて、このマスク５０に形成された開口部５０ａを通過した物体光５３をホログラム乾板４８にあて、参照光５４を照射する。ここで、流通情報がマスク５０の開口部５０ａの開口形状によって表示されている。また、流通情報とは、光回折パターン形成層３０の製造会社名や証明用媒体１０の使用会社名等の情報である。
【００１５】
以上のようにして作製されたホログラム乾板４８を現像すると、この表面には凹凸形状が形成される。この凹凸形状からエンボススタンパーを製造する。そして、図中（ｄ）に示すように、エンボススタンパー５５を、被エンボス材５６（転写シート）にエンボス、すなわち加熱圧着する。このエンボスによりレリーフ層３１上に表面凹凸パターンが形成される。この被エンボス材５６は、支持材である２５μｍ程度の厚みを有するＰＥＴ５６ａ上に、アクリル樹脂等からなる剥離層５６ｂ、及び上述したレリーフ層３１が順次積層されたものである。なお、被エンボス材５６が転写シールのときには剥離層５６ｂを設ける必要はない。次に、この表面凹凸パターンが形成されたレリーフ層３１上に、上述の反射層３２を形成する。さらに、この反射層３２上に接着剤層３３を形成（のり引き）する。これにより、光回折パターン形成層３０が形成される。この光回折パターン形成層３０が転写シートの場合には、媒体部２０に転写装置等を用いて転写され、シールの場合には媒体部２０上に貼付される。
【００１６】
光回折パターン形成層３０には、異なる２つの画像が形成されている。すなわち、図２中、（ａ）〜（ｂ）段階で形成された画像（以下、「第１の画像」という。）は、白色光により再生可能（目視可能）なレインボーホログラムであり、また、図中（ｃ）段階で形成された画像（以下、「第２の画像」という。）は目視不能でレーザ光でのみ再生可能なホログラムである。従って、一般には第１の画像のみが見えている。
【００１７】
次に、証明用媒体１０の使用方法について説明する。証明用媒体１０が取り扱われるとき（例えば使用時）には、従来のホログラムと同様に、第１の画像を目視することにより、証明用媒体１０の真偽が判別される。さらに、光回折パターン形成層３０の画像読みとり装置により、光回折パターン形成層３０の流通情報を含む第２の画像にレーザ光が照射されて、第２の画像が読み取られる。ここで、コード化したマシンリーダブルホログラムとして第２の画像を形成すれば、読みとり装置で流通情報をチェックすることができる。
【００１８】
この光回折パターン形成層３０を偽造したものが流出しているときには、この流通情報をチェックすることにより、光回折パターン形成層３０のどの製造会社名のもの、あるいは証明用媒体１０のどの使用会社名のものが偽造されているかが判別でき、不正流通ルートを知ることができる。
【００１９】
なお、実施例では、レーザ光再生ホログラムと、白色光再生ホログラムとを多重露光した光回折パターンを用いたが、図３で概念的に示すように、１つのレリーフ層３１の領域内に、レーザ光再生ホログラム３１ａと白色光再生ホログラム３１ｂとを領域分けして形成することも、図２の（ｂ），（ｃ）の各工程で記録領域を限定するマスクをホログラム乾板４８に重ねることで、可能である。また、偽造者が、このような流通情報を見い出そうとするときは、通常、光回折パターン形成層３０の全面に再生光を照射する。
従って、領域分けした一部に本情報を記録しておき、他部にはこの本情報と再生像が重なるような攪乱情報を記録しておくと有効である。本情報のみを再生する場合は、再生光を絞っても良いし、特定領域（例えば網目状に区分けされた領域の一部）のみをマスキングしても良い。
【００２０】
本発明においては、単色光によりその像が再生される単色光再生型光回折パターンと、白色光によりその像が再生される白色光再生型光回折パターンとが多重露光される。また、本発明においては、上記の２種類の光回折パターンが、１つの領域内にそれぞれ領域分けされて形成される。さらに、単色光再生型光回折パターンには、例えば製造会社名や使用会社名等の流通情報が記録される。従って、証明用媒体が使用されるとき等に、前記流通情報を読み取ることにより、その証明用媒体の真偽を判別することができる。さらに、証明用媒体が偽造されているときには、その流通情報を知ることにより、不正流出ルートを知ることができる。また、この流通情報が単色光でのみ再生される光回折パターンであって目視が不能であるので、その隠蔽性を確保することができる。
さらに、本発明においては、単色光でのみ再生可能な光回折パターンに証明用媒体の流通情報を記録し、証明用媒体の取扱時に、この流通情報を再生するようにしたので、証明用媒体の真偽を容易に判別することができるとともに、証明用媒体が偽造されているときは、その流出ルートを知ることができる。
このように、本発明によれば、単色光再生光回折パターンと白色光再生光回折パターンとを、それぞれ多重記録，領域分けして記録し、かつ、単色光再生光回折パターンに流通情報を含めたので、流通情報に隠蔽性をもたせるとともに、証明用媒体の使用時にこの流通情報を読み取ることにより、証明用媒体の真偽を判別することができる。
また、証明用媒体が偽造されたときには、流通情報を知ることで、流出ルートがわかるという、逆探知機能を発揮することができる。
さらに、証明用媒体の取扱時に流通情報を再生するようにしたので、証明用媒体の真偽を容易に判別することができるとともに、証明用媒体が偽造されているときは、その流出ルートを知ることができる。これにより、証明用媒体の偽造を牽制することができる。
【００２１】
以上、本発明の一実施例について説明したが、本発明は、上述した実施例に限定されることなく、その要旨を逸脱しない範囲内で種々の変形が可能である。例えば、証明情報表示層２１は、媒体部２０上に形成したが、これに限らず、光回折パターン形成層３０の接着剤層３３側に形成することも可能である。
【図面の簡単な説明】
【００２２】
【図１】本発明による証明用媒体の一実施例の構成を示す断面図である。
【図２】光回折パターンの製造方法の一実施例を説明するための図である。
【図３】本発明による光回折パターン形成層の他の実施例の概略を示す図である。
【符号の説明】
【００２３】
１０ 証明用媒体
２０ 媒体部
３０ 光回折パターン形成層
３１ レリーフ層
３２ 反射層
３３ 接着剤層
【図１】
2005138595.tif 000003
【図２】
2005138595.tif 000004
【図３】
2005138595.tif 000005